(57)【要約】【課題】病室や外部の施設等へ運んで使用する場合でも、容易にセッティングをして手間をかけずに使用状態にすることができる電子内視鏡用モニタ一体型プロセッサを提供すること。【解決手段】ビデオプロセッサ２０に、プロセス回路２４から出力される映像信号により形成される画像を表示するための液晶モニタ３０を、使用ポジションと収納ポジションとの間で自在に開閉することができるように取り付けると共に、液晶モニタ３０の開閉状態に連動して電源回路のオン／オフを切り換えるスイッチング手段２６，３３を設けて、液晶モニタ３０が収納ポジションにあるときは電源回路２５が常にオフになり、液晶モニタ３０が使用ポジションにあるときは電源回路２５が常にオンになるようにした。【選択図】      図１
2004321344.tif 000002
【特許請求の範囲】
【請求項１】
電子内視鏡の固体撮像素子で撮像された観察像の撮像信号を処理するためのプロセス回路と電源回路とを内蔵するビデオプロセッサに、上記プロセス回路から出力される映像信号により形成される画像を表示するための液晶モニタを、使用ポジションと収納ポジションとの間で自在に開閉することができるように取り付けると共に、上記液晶モニタの開閉状態に連動して上記電源回路のオン／オフを切り換えるスイッチング手段を設けて、上記液晶モニタが上記収納ポジションにあるときは上記電源回路が常にオフになり、上記液晶モニタが上記使用ポジションにあるときは上記電源回路が常にオンになるようにしたことを特徴とする電子内視鏡用モニタ一体型プロセッサ。
【請求項２】
上記液晶モニタが、上記収納ポジションでは上記ビデオプロセッサの上面に沿う状態になる請求項１記載の電子内視鏡用モニタ一体型プロセッサ。
【請求項３】
上記液晶モニタが、上記収納ポジションでは上記ビデオプロセッサの前面或いは後面又は側面に沿う状態になる請求項１記載の電子内視鏡用モニタ一体型プロセッサ。
【請求項４】
上記液晶モニタが、上記使用ポジションにある状態において、上記開閉動作の軸線に対して垂直な軸線周りに回転自在である請求項１、２又は３記載の電子内視鏡用モニタ一体型プロセッサ。
【発明の詳細な説明】
【０００１】
【発明の属する技術分野】
この発明は電子内視鏡用モニタ一体型プロセッサに関する。
【０００２】
【従来の技術】
観察像を撮像するための固体撮像素子を内蔵した電子内視鏡を使用する際には、固体撮像素子から出力された撮像信号をビデオプロセッサで処理して、ビデオプロセッサから出力される映像信号をモニタ装置に送り、観察画像をモニタ装置に表示するようになっている（例えば、特許文献１）。
【０００３】
【特許文献１】
特開平１−１９７７１４号
【０００４】
【発明が解決しようとする課題】
上述のような従来の装置は、何時も同じ検査室で用いられている場合には結線接続等のセッティングをしたままの状態にしておけばよい。
【０００５】
しかし、患者が入院している病室や外部の施設等へ運んで使用する場合には、運搬の度に結線接続その他のセッティングをしなければならず、使用状態にするまでの準備作業が煩雑で手間がかかる。
【０００６】
そこで本発明は、病室や外部の施設等へ運んで使用する場合でも、容易にセッティングをして手間をかけずに使用状態にすることができる電子内視鏡用モニタ一体型プロセッサを提供することを目的とする。
【０００７】
【課題を解決するための手段】
上記の目的を達成するため、本発明の電子内視鏡用モニタ一体型プロセッサは、電子内視鏡の固体撮像素子で撮像された観察像の撮像信号を処理するためのプロセス回路と電源回路とを内蔵するビデオプロセッサに、プロセス回路から出力される映像信号により形成される画像を表示するための液晶モニタを、使用ポジションと収納ポジションとの間で自在に開閉することができるように取り付けると共に、液晶モニタの開閉状態に連動して電源回路のオン／オフを切り換えるスイッチング手段を設けて、液晶モニタが収納ポジションにあるときは電源回路が常にオフになり、液晶モニタが使用ポジションにあるときは電源回路が常にオンになるようにしたものである。
【０００８】
なお、液晶モニタが、収納ポジションではビデオプロセッサの上面に沿う状態になるようにしてもよく、或いは、収納ポジションではビデオプロセッサの前面或いは後面又は側面に沿う状態になるようにしてもよい。
【０００９】
また、液晶モニタが、使用ポジションにある状態において、開閉動作の軸線に対して垂直な軸線周りに回転自在であるようにしてもよい。
【００１０】
【発明の実施の形態】
図面を参照して本発明の実施例を説明する。
図３はシステム構成を略示しており、電子内視鏡１０の挿入部１１の先端には、内視鏡観察像を撮像するための固体撮像素子１２が内蔵されている。
【００１１】
１３は、撮像信号を処理するためのビデオプロセッサ（兼光源装置）２０に対して接続及び離脱自在に電子内視鏡１０に設けられたコネクタであり、固体撮像素子１２との間の信号伝送線の接続を行うための信号コネクタ１４と、照明用ライトガイドの入射端部を接続するためのライトガイドコネクタ１５とが並列に配置されている。
【００１２】
３０は内視鏡観察画像を表示するための液晶モニタであり、回転支軸３２を中心に開閉自在にビデオプロセッサ２０の上面部分に取り付けられていて、ビデオプロセッサ２０内に設けられているプロセス回路から出力される映像信号による画像を液晶画面３１に表示する。
【００１３】
図４は、液晶モニタ３０が閉じた収納ポジションにある状態を示しており、ビデオプロセッサ２０の前面部分には、スイッチや表示装置類が配置されているフロントパネル２１と並んで、信号コネクタ１４を接続するための信号ソケット２２とライトガイドコネクタ１５を接続するためのライトガイドソケット２３が配置されている。
【００１４】
図２は、液晶画面３１がビデオプロセッサ２０の上面に面する状態に閉じた収納ポジションにある状態を示し、図１は、液晶モニタ３０が収納ポジションから回転支軸３２の周りに例えば１３５°程度回動して開いた使用ポジションにある状態を示している。
【００１５】
ビデオプロセッサ２０内には、固体撮像素子１２から送られてくる撮像信号を処理するためのプロセス回路２４と、そのプロセス回路２４や他の回路等の電源となる電源回路２５等が内蔵されている。なお、電源回路２５は液晶モニタ３０に対する電源でもあり、図示されていない電力供給線が電源回路２５と液晶モニタ３０との間を接続している。
【００１６】
電源回路２５への電力供給は例えば交流１００ボルトの商用電源５０へのコンセント接続によって行われ、その商用電源５０と電源回路２５との間を接／断するためのスイッチ２６がビデオプロセッサ２０の上面部分に配置されている。
【００１７】
スイッチ２６は、上方から押されることによりオフになり、押されていない状態では常にオンになるタイプのものであり、そのスイッチ２６を押すための突起３３が液晶モニタ３０の液晶画面３１側の面に突設されている。
【００１８】
その結果、図２に示されるように、液晶モニタ３０がビデオプロセッサ２０に対して閉じた収納ポジションにある状態では、スイッチ２６が突起３３によって押されて電源回路２５がオフになり、ビデオプロセッサ２０内の回路や液晶モニタ３０への電力供給が行われない。
【００１９】
そして、図１に示されるように、液晶モニタ３０がビデオプロセッサ２０に対して開いた使用ポジションにされると、液晶モニタ３０に配置されている突起３３がスイッチ２６から離れることによって電源回路２５がオンの状態になり、ビデオプロセッサ２０内の回路や液晶モニタ３０への電力供給が行われる。
【００２０】
このようにして、ビデオプロセッサ２０に開閉自在に取り付けられている液晶モニタ３０を開くだけで、結線接続等の準備作業を何ら行うことなく、ビデオプロセッサ２０と液晶モニタ３０とが使用可能な状態になる。したがって、装置を病室や外部の施設等へ運んで使用する場合でも、容易にセッティングをして手間をかけずに使用状態にすることができる。
【００２１】
なお、本発明は上記実施例に限定されるものではなく、例えば図５に示されるように、液晶モニタ３０が収納ポジションから１８０°以上回動して液晶画面３１を後方から見る状態を使用ポジションにしてもよく、図６に示されるように、液晶モニタ３０がビデオプロセッサ２０の後面或いは前面又は側面に面する状態を収納ポジションにしてもよい。
【００２２】
また、図７に示されるように、液晶モニタ３０が、使用ポジションにある状態において回転支軸３２の軸線３２Ｘに対して垂直な回転軸３４の軸線３４Ｘの周りに回転自在に設けられてもよい。また、ビデオプロセッサ２０に持ち運びのための把手２９を取り付けてもよい。
【００２３】
【発明の効果】
本発明によれば、ビデオプロセッサに開閉自在に取り付けられている液晶モニタを開くだけで、結線接続等の準備作業を何ら行うことなく、ビデオプロセッサと液晶モニタとが使用可能な状態になるので、装置を病室や外部の施設等へ運んで使用する場合等でも、容易にセッティングをして手間をかけずに短時間で使用状態にすることができる。
【図面の簡単な説明】
【図１】本発明の第１の実施例の液晶モニタがビデオプロセッサに対して開いた使用ポジションにある状態の側面略示図である。
【図２】本発明の第１の実施例の液晶モニタがビデオプロセッサに対して閉じた収納ポジションにある状態の側面略示図である。
【図３】本発明の第１の実施例のシステム構成を示す側面略示図である。
【図４】本発明の第１の実施例の液晶モニタがビデオプロセッサに対して閉じた収納ポジションにある状態の斜視図である。
【図５】本発明の第２の実施例の液晶モニタがビデオプロセッサに対して開いた使用ポジションにある状態の側面略示図である。
【図６】本発明の第３の実施例の液晶モニタがビデオプロセッサに対して開いた使用ポジションにある状態と閉じた収納ポジションにある状態とを示す側面略示図である。
【図７】本発明の第４の実施例の液晶モニタがビデオプロセッサに対して開いた使用ポジションにある状態の側面略示図である。
【符号の説明】
２０  ビデオプロセッサ
２４  プロセス回路
２５  電源回路
２６  スイッチ（スイッチング手段）
３０  液晶モニタ
３１  液晶画面
３２  回転支軸
３３  突起（スイッチング手段）
５０  商用電源
【図１】
2004321344.tif 000003
【図２】
2004321344.tif 000004
【図３】
2004321344.tif 000005
【図４】
2004321344.tif 000006
【図５】
2004321344.tif 000007
【図６】
2004321344.tif 000008
【図７】
2004321344.tif 000009